【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
第１の駆動モータにより駆動され吸込んだ室内の空気をダクトに排気する排気送風機を有する排気空間部、
隔壁により前記排気空間部と仕切られるとともに第２の駆動モータにより駆動され吸込んだ前記ダクトの空気を前記室内に給気する給気送風機を有する給気空間部、
前記排気空間部、前記給気空間部および前記隔壁を有するとともに部屋の壁面に取り付けられる本体箱体
を備えた給排気換気扇。
【請求項２】
第１の駆動モータにより駆動され吸込んだ室内の空気をダクトに排気する排気送風機を有する排気空間部、
隔壁により前記排気空間部と仕切られるとともに第２の駆動モータにより駆動され吸込んだ前記ダクトの空気を前記室内に給気する給気送風機を有する給気空間部、
前記排気空間部、前記給気空間部および前記隔壁を有するとともに部屋の壁面に取り付けられる本体箱体、
前記第２の駆動モータと電源との間に接続して前記給気送風機を運転または停止させるスイッチ
を備えた給排気換気扇。
【請求項３】
第１の駆動モータと電源との間に接続して排気送風機を運転または停止させるスイッチを備えた請求項１または２のいずれか１項に記載の給排気換気扇。
【請求項４】
第１の駆動モータにより駆動され吸込んだ室内の空気をダクトに排気する排気送風機を有する排気空間部、
隔壁により前記排気空間部と仕切られるとともに第２の駆動モータにより駆動され吸込んだ前記ダクトの空気を前記室内に給気する給気送風機を有する給気空間部、
前記排気空間部、前記給気空間部および前記隔壁を有するとともに部屋の壁面に取り付けられる本体箱体、
前記第１の駆動モータのモータパワーを調整する切換えスイッチ
を備えた給排気換気扇。
【請求項５】
切換えスイッチは電源と第１の駆動モータとを接続するかまたは前記電源と前記第１の駆動モータに接続したコンデンサとを接続することを特徴とする請求項４に記載の給排気換気扇。
【請求項６】
第１の駆動モータにより駆動され吸込んだ室内の空気をダクトに排気する排気送風機を有する排気空間部、
隔壁により前記排気空間部と仕切られるとともに第２の駆動モータにより駆動され吸込んだ前記ダクトの空気を前記室内に給気する給気送風機を有する給気空間部、
前記排気空間部、前記給気空間部および前記隔壁を有するとともに部屋の壁面に取り付けられる本体箱体、
前記第２の駆動モータのモータパワーを調整する切換えスイッチ
を備えた給排気換気扇。
【請求項７】
切換えスイッチは電源と第２の駆動モータとを接続するかまたは前記電源と前記第２の駆動モータに接続したコンデンサとを接続することを特徴とする請求項６に記載の給排気換気扇。
【請求項８】
第１の駆動モータの回転軸および第２の駆動モータの回転軸が水平であることを特徴とする請求項１に記載の給排気換気扇。
【請求項９】
第１の駆動モータにより駆動され吸込んだ室内の空気を引き戸式の第１の開閉シャッタにより開閉される排気用吹出口を介してダクトに排気する排気送風機を有する排気空間部、
隔壁により前記排気空間部と仕切られるとともに第２の駆動モータにより駆動され引き戸式の第２の開閉シャッタにより開閉される給気用吸込口を介して吸込んだ前記ダクトの空気を前記室内に給気する給気送風機を有する給気空間部、
前記排気空間部、前記給気空間部および前記隔壁を有するとともに部屋の壁面に取り付けられる本体箱体
を備えた給排気換気扇。
【請求項１０】
第１の開閉シャッタおよび第２の開閉シャッタは本体箱体の外部で操作される操作摘みを備えたことを特徴とする請求項９に記載の給排気換気扇。
【請求項１１】
第１の駆動モータにより駆動され吸込んだ室内の空気をダクトに排気する排気送風機を有する排気空間部、
隔壁により前記排気空間部と仕切られるとともに羽根が回転軸に装着された第２の駆動モータにより駆動され給気用吸込口から吸込んだ前記ダクトの空気を前記室内に給気する給気送風機を有する給気空間部、
前記排気空間部、前記給気空間部および前記隔壁を有するとともに部屋の壁面に取り付けられる本体箱体、
前記給気用吸込口と前記給気送風機の羽根との間に着脱されるエアーフィルタ
を備えた給排気換気扇。
【請求項１２】
エアーフィルタは本体箱体の前面から抜き差しされることを特徴とする請求項１１に記載の給排気換気扇。
【請求項１３】
エアーフィルタが装着されて本体箱体に設けられた収納部に抜き差しされるとともに、前記収納部を塞ぐフランジを有するホルダを備えた請求項１１に記載の給排気換気扇。
【請求項１４】
排気送風機は軸流式または斜流式であることを特徴とする請求項１に記載の給排気換気扇。
【請求項１５】
給気送風機は多翼式であることを特徴とする請求項１４に記載の給排気換気扇。
【請求項１６】
排気空間部に電気部品収納ケースを備えた請求項１４に記載の給排気換気扇。
【請求項１７】
第１の駆動モータの回転軸には羽根が装着され、外周方向が前記羽根の外周方向であるとともに前記羽根および前記第１の駆動モータの外殻を覆いってダクトに空気を導く吹出ガイドを有する排気送風機用ファンケーシング、および前記排気送風機用ファンケーシングの円筒軸方向の一端に設けられた前記羽根外径の５０〜７０％程の内径を有するベルマウスを備えた請求項１４に記載の給排気換気扇。
【手続補正２】
【補正対象書類名】明細書
【補正対象項目名】０００６
【補正方法】変更
【補正の内容】
【０００６】
前記課題を達成するための本発明に係る給排気換気扇は、第１の駆動モータにより駆動され吸込んだ室内の空気をダクトに排気する排気送風機を有する排気空間部、隔壁により排気空間部と仕切られるとともに第２の駆動モータにより駆動され吸込んだダクトの空気を室内に給気する給気送風機を有する給気空間部、排気空間部、給気空間部および隔壁を有するとともに部屋の壁面に取り付けられる本体箱体を備えたことを特徴とする。
【手続補正３】
【補正対象書類名】明細書
【補正対象項目名】００１３
【補正方法】変更
【補正の内容】
【００１３】
排気送風機１２と給気送風機１３は、第１の駆動モータおよび第２の駆動モータである各駆動モータ１４，１５の回転軸がほぼ同一線上に水平に設けられ、各回転軸にそれぞれ軸流羽根１６と多翼羽根１７が装着されている。排気送風機１２の軸流羽根１６は、吸込側に位置し、駆動モータ１４は吹出側に位置している。排気送風機１２には、軸流羽根１６と駆動モータ１４を覆うファンケーシング１８が備えられている。ファンケーシング１８は、軸流羽根１６の外周部をその後縁まで覆う円筒構造１９と、この円筒構造１９に繋がり、駆動モータ１４の外殻を覆うとともに吹出口８に導く半径方向に向いた吹出ガイド２０を持つカバー構造２１とから構成されている。円筒構造１９は隔壁１に取付けられたカバー構造２１の端に軸方向の操作で着脱できるように嵌め装着されている。吹出ガイド２０の最下端面は吹出口８の下端面とほぼ同位置になっている。また、ファンケーシング１８における円筒構造１９の一端には、軸流羽根１６の外径の５０〜７０％程度の内径を有するベルマウス２２が形成され、排気送風機１２の吸込口となっている。本体箱体４の排気送風機１２の吸込口に向かう面には円弧面の吸込ガイド２３が設けられ、吸込口に気流を円滑に導き込むようになっている。排気送風機１２の駆動モータ１４はスイッチ操作によるノッチ切換えにより強弱運転が可能であり、また、左下面に設けられた電源スイッチ２４のスイッチ操作により運転／停止させることができる。
【手続補正４】
【補正対象書類名】明細書
【補正対象項目名】００２１
【補正方法】変更
【補正の内容】
【００２１】
本体箱体４の背面にある吸込口７と吹出口８には、第２の開閉シャッタおよび第１の開閉シャッタであり、吸込口７および吹出口８のそれぞれを開閉する引き戸式の給気シャッタ３８と排気シャッタ３９が設けられている。吸込口７を開閉する給気シャッタ３８と吹出口８を開閉する排気シャッタ３９は、いずれも本体箱体４の背面の空間に収められ、吹出口８と吸込口７の部分に設けられた背面板４０によって背面側から押さえられている。背面板４０の背面には断熱材が全面に貼付けられ、この部分での結露が防止されている。給気シャッタ３８には、閉状態でも吸込口７の樋９の外部への連絡を保持する切欠き４１が設けられ、給気シャッタ３８の開閉に拘らず、給気空間部３側に生じる水を排水することができる。給気シャッタ３８と排気シャッタ３９にはその下端に操作摘み４２と４３がそれぞれ設けられ、本体箱体４の下面に形成されたスリットから外部に引出されている。